(57)【要約】【課題】ユーザによる事前の準備作業を極力なくして、ユーザの嗜好に合った撮影支援を行うことを目的とする。【解決手段】位置情報を取得する位置情報取得部１０２と、個人情報を個人情報サーバ１１から受信し、位置情報に対応する、少なくとも撮影位置を示す画像付帯情報群を画像付帯情報サーバ１２から受信し、個人情報又は撮影条件若しくは日時情報の少なくとも何れか一方に基づいて、画像付帯情報群から複数の画像付帯情報を抽出する画像付帯情報取得抽出部１１５３と、地理的範囲内に撮影位置が入る画像付帯情報の数が閾値よりも大きくなると、撮影すべき被写体が近くに存在することを判断する撮影判断部１１５４と、撮影すべき被写体が近くに存在する旨をユーザに通知する通知部１１５５とを備えて撮像装置１０を構成する。【選択図】図５
2013012959.tif 000002
【特許請求の範囲】
【請求項１】
当該撮像装置の位置を示す位置情報を取得する位置情報取得手段と、
当該撮像装置のユーザ又は当該撮像装置自体を特定するための特定情報に対応する、少なくとも前記ユーザの嗜好を示す個人情報をサーバから取得する個人情報取得手段と、
前記ユーザにより撮影条件情報又は日時情報が入力される入力手段と、
前記位置情報取得手段により取得される位置情報に対応する、少なくとも撮影位置を示す画像付帯情報群を前記サーバから取得し、前記個人情報取得手段により取得された個人情報、又は、前記入力手段により入力される撮影条件情報若しくは日時情報の少なくとも何れか一方に基づいて、前記画像付帯情報群から複数の画像付帯情報を抽出する画像付帯情報取得抽出手段と、
前記画像付帯情報取得抽出手段により抽出される複数の画像付帯情報のうち前記位置情報取得手段により取得される位置情報に示される位置を中心とする予め決められた大きさの地理的範囲内に撮影位置が入る画像付帯情報の数が閾値よりも大きくなると、撮影すべき被写体が近くに存在することを判断する撮影判断手段と、
前記撮影判断手段により撮影すべき被写体が近くに存在することが判断されると、その旨を前記ユーザに通知する通知手段と、
を備える撮像装置。
【請求項２】
請求項１に記載の撮像装置であって、
前記通知手段は、前記撮影判断手段により撮影すべき被写体が近くに存在することを判断されると、その旨を他の端末装置の通知手段に通知させる
ことを特徴とする撮影支援システム。
【請求項３】
請求項１に記載の撮像装置であって、
前記画像付帯情報は、さらに撮影方向を示し、
前記通知手段は、前記撮影判断手段により撮影すべき被写体が近くに存在することを判断されると、前記地理的範囲内に撮影位置が入る画像付帯情報に示される撮影方向及び前記位置情報取得手段により取得される位置情報に基づいて、前記ユーザに前記被写体の方向を通知する
ことを特徴とする撮像装置。
【請求項４】
撮像装置と、サーバとが互いにデータを送受信する撮影支援システムであって、
前記サーバは、
少なくとも前記撮像装置のユーザの嗜好を示す個人情報と前記ユーザ又は前記撮像装置自体を特定するための特定情報とが対応付けられて記憶される個人情報記憶手段と、
少なくとも撮影位置を示す画像付帯情報を複数記憶する画像付帯情報記憶手段と、
前記撮像装置とデータを送受信するサーバ側通信手段と、
前記サーバ側通信手段により受信される前記特定情報に対応する個人情報を前記個人情報記憶手段から取り出して前記サーバ側通信手段により前記撮像装置へ送信させるとともに、前記サーバ側通信手段により前記撮像装置の位置を示す位置情報が受信されると、その位置情報に対応する画像付帯情報群を前記画像付帯情報記憶手段から取り出して前記サーバ側通信手段により前記撮像装置へ送信させる制御手段と、
を備え、
前記撮像装置は、
前記サーバとデータを送受信する撮像装置側通信手段と、
前記位置情報を取得する位置情報取得手段と、
前記ユーザにより撮影条件情報又は日時情報が入力される入力手段と、
前記撮像装置側通信手段により受信される個人情報、又は、前記入力手段により入力される撮影条件情報若しくは日時情報の少なくとも何れか一方に基づいて、前記撮像装置側通信手段により受信される画像付帯情報群から複数の画像付帯情報を抽出する画像付帯情報取得抽出手段と、
前記画像付帯情報取得抽出手段により抽出される複数の画像付帯情報のうち前記位置情報取得手段により取得される位置情報に示される位置を中心とする予め決められた大きさの地理的範囲内に撮影位置が入る画像付帯情報の数が閾値よりも大きくなると、撮影すべき被写体が近くに存在することを判断する撮影判断手段と、
前記撮影判断手段により撮影すべき被写体が近くに存在することが判断されると、その旨を前記ユーザに通知する通知手段と、
を備える撮影支援システム。
【請求項５】
撮像装置と、サーバとが互いにデータを送受信する撮影支援システムであって、
前記サーバは、
少なくとも前記撮像装置のユーザの嗜好を示す個人情報と前記ユーザ又は前記撮像装置自体を特定するための特定情報とが対応付けられて記憶される個人情報記憶手段と、
少なくとも撮影位置を示す画像付帯情報を複数記憶する画像付帯情報記憶手段と、
前記撮像装置とデータを送受信するサーバ側通信手段と、
前記サーバ側通信手段により前記撮像装置の位置を示す位置情報が受信されると、その位置情報に対応する画像付帯情報群を前記画像付帯情報記憶手段から取り出し、前記サーバ側通信手段により受信される特定情報に対応する、前記個人情報記憶手段から取り出した個人情報、又は、前記サーバ側通信手段により受信される撮影条件情報若しくは日時情報の少なくとも何れか一方に基づいて、前記画像付帯情報群から複数の画像付帯情報を抽出する画像付帯情報取得抽出手段と、
前記画像付帯情報取得抽出手段により抽出される複数の画像付帯情報に示されるそれぞれの撮影位置に基づいて、画像付帯情報が集中しているところを示す撮影有効範囲を作成して前記サーバ側通信手段により前記撮像装置へ送信させる撮影有効範囲作成手段と、
を備え、
前記撮像装置は、
前記サーバとデータを送受信する撮像装置側通信手段と、
前記特定情報を取得する特定情報取得手段と、
前記ユーザにより前記撮影条件情報又は前記日時情報が入力される入力手段と、
前記位置情報を取得する位置情報取得手段と、
前記サーバから送信される撮影有効範囲に前記位置情報取得手段により取得される位置情報が入ると、撮影すべき被写体が近くに存在することを判断する撮影判断手段と、
前記撮影判断手段により撮影すべき被写体が近くに存在することが判断されると、その旨を前記ユーザに通知する通知手段と、
を備える撮影支援システム。
【請求項６】
請求項４又は請求項５に記載の撮影支援システムであって、
前記撮像装置は、撮影すべき被写体の位置情報を記憶する被写体位置記憶手段を備え、
前記通知手段は、前記撮像装置と前記サーバとの間でデータの送受信ができない場合、前記位置情報取得手段により取得される位置情報が、前記被写体位置記憶手段に記憶される位置情報に近づくと、撮影すべき被写体が近くに存在することを前記ユーザに通知する
ことを特徴とする撮影支援システム。
【請求項７】
当該撮影支援装置のユーザ又は当該撮影支援装置自体を特定するための特定情報を取得する特定情報取得手段と、
少なくとも前記ユーザの嗜好を示す個人情報と前記特定情報とが対応付けられて記憶される個人情報記憶手段と、
前記ユーザにより撮影条件情報又は日時情報が入力される入力手段と、
少なくとも撮影位置を示す画像付帯情報を複数記憶する画像付帯情報記憶手段と、
当該撮影支援装置の位置を示す位置情報を取得する位置情報取得手段と、
前記位置情報取得手段により取得される位置情報に対応する画像付帯情報群を前記画像付帯情報記憶手段から取り出し、前記特定情報取得手段により取得される特定情報に対応する、前記個人情報記憶手段から取り出した前記個人情報、又は、前記入力手段により入力される撮影条件情報若しくは日時情報の少なくとも何れか一方に基づいて、前記画像付帯情報群から複数の画像付帯情報を抽出する画像付帯情報取得抽出手段と、
前記画像付帯情報取得抽出手段により抽出される複数の画像付帯情報のうち前記位置情報取得手段により取得される位置情報を中心とする予め決められた大きさの地理的範囲内に撮影位置が入る画像付帯情報の数が閾値よりも大きくなると、撮影すべき被写体が近くに存在することを判断する撮影判断手段と、
前記撮影判断手段により撮影すべき被写体が近くに存在することが判断されると、その旨を前記ユーザに通知する通知手段と、
を備える撮影支援装置。
【発明の詳細な説明】
【技術分野】
【０００１】
本発明は、ユーザの撮影を支援する撮像装置、撮影支援システム、及び撮影支援装置に関する。
【背景技術】
【０００２】
例えば、特許文献１には、撮像装置に撮影スケジュールを事前に登録しておき、その撮影スケジュールの通りに撮影が行われないとき、ユーザに警告するという撮影支援の技術が開示されている。
【０００３】
また、例えば、特許文献２には、撮像装置のレンズのズーム量に基づいて被写体を判別し、その被写体の名称を撮像装置のディスプレイに表示するという撮影支援の技術が開示されている。
【０００４】
また、例えば、特許文献３には、評価済みの画像データに対応する撮影位置や構図がサーバから撮像装置へ送信され、ユーザの撮影を支援する技術が開示されている。
【０００５】
また、例えば、特許文献４には、撮像装置から外部機器へ画像データが送信される際、外部機器のユーザの嗜好に基づいて設定される評価値に応じた画像データが選択される技術が開示されている。
【０００６】
しかしながら、上記特許文献１に開示される技術では、撮影スケジュールを事前に登録しておく必要があるため、その作業が面倒という問題がある。
【０００７】
また、上記特許文献２に開示される技術では、撮像装置から被写体までの距離や方位を検出するための測距センサや方位センサなどの各種センサを撮像装置に備える必要がある上、被写体の判別処理が重いため、その機能を撮像装置に実装することが難しい。
【０００８】
また、上記特許文献３に開示される技術では、画像データに対して事前に評価を行っておく必要があるため、その作業が面倒であるという問題がある。また、上記特許文献３に開示される技術では、画像データの評価を行う者の嗜好とユーザの嗜好とが互いに合わないおそれがあるため、ユーザの嗜好に合わない画像データが撮像装置へ送信されてしまう可能性がある。
【０００９】
また、上記特許文献４に開示される技術は、外部機器のユーザの嗜好に合った画像データを撮像装置から送信するための技術であり、撮像装置のユーザに対して撮影すべき被写体が近くにある場合にその旨を通知するなどの撮影支援を行うことができない。
【先行技術文献】
【特許文献】
【００１０】
【特許文献１】特許第４０６６４２１号公報
【特許文献２】特許第４２７４６５６号公報
【特許文献３】特開２００９−２３９３９７号公報
【特許文献４】特開２００９−１７７４９７号公報
【発明の概要】
【発明が解決しようとする課題】
【００１１】
本発明は、ユーザによる事前の準備作業を極力なくして、ユーザの嗜好に合った撮影支援を行うことを目的とする。
【課題を解決するための手段】
【００１２】
本発明の撮像装置は、当該撮像装置の位置を示す位置情報を取得する位置情報取得手段と、当該撮像装置のユーザ又は当該撮像装置自体を特定するための特定情報に対応する、少なくとも前記ユーザの嗜好を示す個人情報をサーバから取得する個人情報取得手段と、前記ユーザにより撮影条件情報又は日時情報が入力される入力手段と、前記位置情報取得手段により取得される位置情報に対応する、少なくとも撮影位置を示す画像付帯情報群を前記サーバから取得し、前記個人情報取得手段により取得された個人情報、又は、前記入力手段により入力される撮影条件情報若しくは日時情報の少なくとも何れか一方に基づいて、前記画像付帯情報群から複数の画像付帯情報を抽出する画像付帯情報取得抽出手段と、前記画像付帯情報取得抽出手段により抽出される複数の画像付帯情報のうち前記位置情報取得手段により取得される位置情報に示される位置を中心とする予め決められた大きさの地理的範囲内に撮影位置が入る画像付帯情報の数が閾値よりも大きくなると、撮影すべき被写体が近くに存在することを判断する撮影判断手段と、前記撮影判断手段により撮影すべき被写体が近くに存在することが判断されると、その旨を前記ユーザに通知する通知手段とを備える。
【発明の効果】
【００１３】
本発明によれば、ユーザによる事前の準備作業を極力なくして、ユーザの嗜好に合った撮影支援を行うことができる。
【図面の簡単な説明】
【００１４】
【図１】本発明の実施形態の撮影支援システムの全体構成の一例を示す図である。
【図２Ａ】画像付帯情報データテーブルの一例を示す図である。
【図２Ｂ】個人情報データテーブルの一例を示す図である。
【図３】撮像装置のハードウェア構成例を示す図である。
【図４Ａ】撮像装置の一例（正面側）を示す図である。
【図４Ｂ】撮像装置の一例（背面側）を示す図である。
【図４Ｃ】撮像装置の他の例（正面側）を示す図である。
【図４Ｄ】撮像装置の他の例（背面側）を示す図である。
【図５】本発明の第１実施形態の撮影支援システムの一例を示す図である。
【図６】撮像装置側の制御部の動作を説明するためのフローチャートである。
【図７】個人情報登録時の制御部の詳細な動作を説明するためのフローチャートである。
【図８Ａ】個人情報取得時に表示部に表示される画面例（その１）を示す図である。
【図８Ｂ】個人情報取得時に表示部に表示される画面例（その２）を示す図である。
【図８Ｃ】個人情報取得時に表示部に表示される画面例（その３）を示す図である。
【図８Ｄ】個人情報取得時に表示部に表示される画面例（その４）を示す図である。
【図８Ｅ】個人情報取得時に表示部に表示される画面例（その５）を示す図である。
【図８Ｆ】個人情報取得時に表示部に表示される画面例（その６）を示す図である。
【図８Ｇ】個人情報取得時に表示部に表示される画面例（その７）を示す図である。
【図９Ａ】抽出項目情報設定時に表示部に表示される画面例（その１）を示す図である。
【図９Ｂ】抽出項目情報設定時に表示部に表示される画面例（その２）を示す図である。
【図９Ｃ】抽出項目情報設定時に表示部に表示される画面例（その３）を示す図である。
【図９Ｄ】抽出項目情報設定時に表示部に表示される画面例（その４）を示す図である。
【図９Ｅ】抽出項目情報設定時に表示部に表示される画面例（その５）を示す図である。
【図１０Ａ】画像付帯情報データテーブルから抽出された複数の画像付帯情報を撮影位置に基づいて２次元座標上に置いたものの一例を示す図である。
【図１０Ｂ】画像付帯情報取得抽出部により抽出された複数の画像付帯情報を撮影位置に基づいて２次元座標上に置いたものの一例を示す図である。
【図１０Ｃ】抽出項目情報の一例を示す図である。
【図１０Ｄ】抽出項目情報の一例を示す図である。
【図１０Ｅ】抽出項目情報の一例を示す図である。
【図１０Ｆ】撮影判断部の判断結果の一例を示す図である。
【図１１Ａ】表示部に表示される撮影支援画面の一例を示す図である。
【図１１Ｂ】表示部に表示される撮影支援画面の他の例を示す図である。
【図１１Ｃ】表示部に表示される撮影支援画面のさらに他の例を示す図である。
【図１２】本発明の第２実施形態の撮影支援システムの一例を示す図である。
【図１３】撮像装置側の制御部の動作を説明するためのフローチャートである。
【図１４】地理的範囲生成部により生成される地理的範囲の一例を示す図である。
【図１５】画像付帯情報サーバ側の制御部の動作を説明するためのフローチャートである。
【図１６】本発明の実施形態の撮影支援装置の一例を示す図である。
【発明を実施するための形態】
【００１５】
図１は、本発明の実施形態の撮影支援システムの全体構成の一例を示す図である。
【００１６】
図１に示す撮影支援システムは、撮像装置１０と、個人情報サーバ１１と、画像付帯情報サーバ１２とを備え、撮像装置１０、個人情報サーバ１１、及び画像付帯情報サーバ１２がネットワーク１３（公衆回線又はＬＡＮなど）を介して互いにデータを送受信する。
【００１７】
撮像装置１０は、例えば、デジタルカメラ又はカメラ付き携帯電話などの持ち運び可能な装置とする。
【００１８】
個人情報サーバ１１は、撮像装置１０のユーザ又は撮像装置１０自体を特定するための特定情報とユーザの嗜好などの個人情報とが互いに対応付けられた複数のレコードが記録される個人情報データテーブル１４を備えている。なお、個人情報サーバ１１は、物理的に１つのサーバであるとは限らず、互いにネットワークに接続された複数のパーソナルコンピュータやクラウドサーバなどにより構成されてもよい。
【００１９】
図２Ａは、個人情報データテーブル１４の一例を示す図である。
【００２０】
図２Ａに示す個人情報データテーブル１４は、ユーザを特定するためのユーザＩＤ（ユーザ特定情報）が格納されるユーザＩＤ領域１４１と、ユーザの年齢（個人情報）が格納される年齢領域１４２と、ユーザの性別（個人情報）が格納される性別領域１４３と、ユーザの居住地域（個人情報）が格納される居住地域領域１４４と、ユーザの興味対象（個人情報）が格納される興味対象領域１４５などからなる複数のレコード１４６（１４６−１、１４６−２、１４６−３、・・・）を記録している。例えば、図２Ａにおいて、レコード１４６−３のユーザＩＤ領域１４１には「3940294」が格納され、年齢領域１４２には「２０代」が格納され、性別領域１４３には「男」が格納され、居住地域領域１４４には「神奈川」が格納され、興味対象領域１４５には「ランドマークタワー」が格納されている。なお、個人情報データテーブル１４内の各レコード１４６は、例えば、インターネット上の通販サイトの顧客データ（名前、年齢、性別、居住地域、購入履歴など）やソーシャルネットワークの使用者データ（ユーザＩＤ、年齢、性別、居住地域、閲覧ページ履歴、購読メールマガジンなど）の個人情報群から抽出される情報に基づいて生成されるものとする。
【００２１】
また、図１に示す画像付帯情報サーバ１２は、インターネット上に存在する画像データ群から抽出される画像データに付帯する画像付帯情報と画像データの撮影者を特定するための特定情報とが対応付けられた複数のレコードが記録される画像付帯情報データテーブル１５を備えている。なお、画像付帯情報サーバ１２は、物理的に１つのサーバであるとは限らず、互いにネットワークに接続された複数のパーソナルコンピュータやクラウドサーバなどにより構成されてもよい。
【００２２】
図２Ｂは、画像付帯情報データテーブル１５の一例を示す図である。
【００２３】
図２Ｂに示す画像付帯情報データテーブル１５は、画像データのファイル名（画像付帯情報）が格納されるファイル名領域１５１と、画像データのタイトル（画像付帯情報）が格納されるタイトル領域１５２と、画像データの撮影位置（例えば、緯度、経度）（画像付帯情報）が格納される撮影位置領域１５３と、画像データの撮影日時（画像付帯情報）が格納される撮影日時領域１５４と、画像データから連想されるキーワード（画像付帯情報）が格納されるキーワード領域１５５と、画像データの撮影者を特定するための撮影者ＩＤ（特定情報）が格納される撮影者ＩＤ領域１５６と、画像データの撮影条件（例えば、画像データの撮影時に取得される、シャッター速度、絞り、ＩＳＯ感度、Ｆ値、使用機種、階調変換、鮮鋭化／非鮮鋭化、彩度強調、幾何補正、シーンモードなど）（画像付帯情報）が格納される撮影条件領域１５７と、画像データの撮影者の性別（画像付帯情報）が格納される性別領域１５８と、画像データの撮影者の年齢（画像付帯情報）が格納される年齢領域１５９とからなる複数のレコード１６０（１６０−１、１６０−２、１６０−３、・・・）を記録している。画像付帯情報は、例えば、画像データのヘッダ情報として、ＥＸＩＦ（ＥＸｃｈａｎｇｅａｂｌｅ  Ｉｍａｇｅ  ｆｉｌｅ  Ｆｏｒｍａｔ）情報、ＩＰＴＣ（Ｉｎｔｅｒｎａｔｉｏｎａｌ  Ｐｒｅｓｓ  Ｔｅｌｅｃｏｍｍｕｎｉｃａｔｉｏｎｓ  Ｃｏｕｎｃｉｌ）情報、ＥＸＩＦコメント情報、ジオタグ情報などから構成されてもよい。例えば、図２Ｂにおいて、レコード１６０−１のファイル名領域１５１には「tower1」が格納され、タイトル領域１５２には「東京タワー下」が格納され、撮影位置領域１５３には「35.658674, 139.745466」が格納され、撮影日時領域１５４には「2011/2/1 12:00」が格納され、キーワード領域１５５には「元気、赤」が格納され、撮影者ＩＤ領域１５６には「2093103」が格納され、撮影条件領域１５７には「＊＊＊」が格納され、性別領域１５８には「男」が格納され、年齢領域１５９には「２０代」が格納されている。
【００２４】
なお、画像付帯情報データテーブル１５の各レコード１６０は、他の画像付帯情報として、ユーザにより入力される季節やタイムゾーンなどを格納する領域を有していてもよい。
【００２５】
図３は、撮像装置１０のハードウェア構成例を示す図である。
【００２６】
図３に示す撮像装置１０は、撮影部１０１と、位置情報取得部１０２（位置情報取得手段）と、記憶部１０３（被写体位置記憶手段）と、通信部１０４（撮像装置側通信手段）と、操作部１０５（入力手段）と、表示部１０６と、スピーカ１０７と、外部メモリＩ／Ｆ部１０８と、マイク１０９と、バイブレータ１１０と、生体情報取得部１１１と、画像処理部１１２と、発光部１１３と、地図情報取得部１１４と、制御部１１５とを備え、それらがバスライン１１６を介して互いに接続されている。なお、撮像装置１０は、例えば、図４Ａ及び図４Ｂに示すようなデジタルカメラとして構成してもよいし、図４Ｃ及び図４Ｄに示すようなカメラ付き携帯電話として構成してもよい。
【００２７】
撮影部１０１は、デジタルカメラやカメラ付き携帯電話などに通常備えられているものであって、例えば、レンズによってＣＣＤ（Ｃｈａｒｇｅ  Ｃｏｕｐｌｅｄ  Ｄｅｖｉｃｅ）などの撮像素子に結像される被写体像をその撮像素子において電気信号に変換し画像データ（静止画像又は動画像）とする。また、画像処理部１１２は、撮影部１０１により得られる画像データに対して、シャープネス補正、コントラスト補正、輝度・色差信号生成、及びホワイトバランス補正などの各種画像処理を行う。
【００２８】
位置情報取得部１０２は、例えば、ＧＰＳ（Ｇｌｏｂａｌ  Ｐｏｓｉｔｉｏｎｉｎｇ  Ｓｙｓｔｅｍ）や無線ＬＡＮ（Ｌｏｃａｌ  Ａｒｅａ  Ｎｅｔｗｏｒｋ）などを使用して撮像装置１０の現在の位置を示す位置情報を取得する。なお、ＧＰＳを使用する場合は、位置情報に撮像装置１０の現在の方位を示す方位情報を含めてもよい。
【００２９】
記憶部１０３は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、不揮発性メモリ、又はフラッシュメモリなどにより構成され、制御部１１５で実行されるオペレーションシステムのプログラムや各種アプリケーションソフト、画像処理部１１２により画像処理された画像データ、個人情報サーバ１１から送信される個人情報、及び画像付帯情報サーバ１２から送信される画像付帯情報群などを記憶する。
【００３０】
通信部１０４は、個人情報サーバ１１や画像付帯情報サーバ１２と有線又は無線によりデータの送受信を行う。
【００３１】
操作部１０５は、例えば、シャッターボタン、切替スイッチ、十字キーなどにより構成され、ユーザの操作に応じた指示や情報（例えば、撮影条件情報又は日時情報など）が制御部１１５に送られる。
【００３２】
表示部１０６は、例えば、液晶や有機ＥＬなどで構成されるディスプレイ（例えば、タッチパネルディスプレイなど）であって、画像データやユーザによる撮像装置１０の操作を支援するためのＧＵＩ（Ｇｒａｐｈｉｃａｌ  Ｕｓｅｒ  Ｉｎｔｅｒｆａｃｅ）などを表示する。
【００３３】
スピーカ１０７は、撮影すべき被写体が近くに存在することをユーザに通知するための音声やブザー音などを出力する。
【００３４】
外部メモリＩ／Ｆ部１０８は、記憶部１０３の補助として使用することができるメモリカードなどの外部メモリからデータを読み出したり、その外部メモリにデータを書き込んだりする。
【００３５】
マイク１０９は、ユーザの声や撮像装置１０の周囲音などを取得する。
【００３６】
バイブレータ１１０は、撮影すべき被写体が近くに存在することをユーザに通知する際に撮像装置１０を振動させる。
【００３７】
生体情報取得部１１１は、例えば、指紋センサや静脈センサなどであって、ユーザの指紋パターンや静脈パターンなどの生体情報を所得する。
【００３８】
発光部１１３は、例えば、ＬＥＤにより構成され、撮影すべき被写体が近くに存在することをユーザに通知する際に発光する。
【００３９】
地図情報取得部１１４は、例えば、外部の地図情報データベースなどから地図情報を取得する。なお、地図情報取得部１１４は、スリープモード時など、撮像装置１０があまり動作していないときに、外部の地図情報データベースなどからまとめて地図情報を取得するように構成してもよい。
【００４０】
制御部１１５は、例えば、ＣＰＵ（Ｃｅｎｔｒａｌ  Ｐｒｏｃｅｓｓｉｎｇ  Ｕｎｉｔ）やマイクロコンピュータなどにより構成され、記憶部１０３に記憶されているオペレーションシステムのプログラムや各種アプリケーションソフトを実行することにより撮像装置１０全体の動作制御を行う。
【００４１】
図５は、本発明の第１実施形態の撮影支援システムの一例を示す図である。なお、図１や図３に示す構成と同じ構成には同じ符号を付している。
【００４２】
図５に示す第１実施形態の撮影支援システムにおいて、撮像装置１０の制御部１１５は、個人情報取得部１１５１（個人情報取得手段）、抽出項目情報設定部１１５２、画像付帯情報取得抽出部１１５３（画像付帯情報取得抽出手段）、撮影判断部１１５４（撮影判断手段）、及び通知部１１５５（通知手段）を備える。例えば、記憶部１０３に記憶される各種アプリケーションソフトの１つである「撮影支援処理」が制御部１１５により実行されると、個人情報取得部１１５１、抽出項目情報設定部１１５２、画像付帯情報取得抽出部１１５３、撮影判断部１１５４、及び通知部１１５５が構成されるものとする。
【００４３】
個人情報サーバ１１は、撮像装置１０や画像付帯情報サーバ１２とデータの送受信を行う通信部１６（サーバ側通信手段）と、個人情報データテーブル１４を記憶する記憶部１７（個人情報記憶手段）と、個人情報サーバ１１全体の動作を制御する制御部１８（制御手段）とを備える。
【００４４】
画像付帯情報サーバ１２は、撮像装置１０や個人情報サーバ１１とデータの送受信を行う通信部１９（サーバ側通信手段）と、画像付帯情報データテーブル１５を記憶する記憶部２０（画像付帯情報記憶手段）と、画像付帯情報サーバ１２全体の動作を制御する制御部２１（制御手段）とを備える。
【００４５】
なお、図５に示す個人情報サーバ１１及び画像付帯情報サーバ１２は、１つのサーバにより構成されてもよい。このように構成する場合、通信部１６と通信部１９とを１つの制御部により構成してもよい。また、記憶部１７と記憶部２０とを１つの記憶部により構成し、その記憶部に個人情報データテーブル１４及び画像付帯情報データテーブル１５を記憶させてもよい。また、制御部１８と制御部２１とを１つの制御部により構成してもよい。
【００４６】
図６は、制御部１１５の動作を説明するためのフローチャートである。
【００４７】
まず、制御部１１５は、ユーザの操作部１０５の操作などにより「撮影支援処理」の開始指示が入力されると（Ｓ５１がＹｅｓ）、個人情報が記憶部１０３にすでに記憶されているか否かを判断する（Ｓ５２）。
【００４８】
個人情報が記憶部１０３にまだ記憶されていないと判断した場合（Ｓ５２がＮｏ）、制御部１１５の個人情報取得部１１５１は、個人情報を取得して記憶部１０３に記憶させる（Ｓ５３）。
【００４９】
図７は、個人情報取得部１１５１の動作を説明するためのフローチャートである。
【００５０】
まず、個人情報取得部１１５１は、メニュー画面を表示部１０６に表示させる（Ｓ５３１）。例えば、個人情報取得部１１５１は、図８Ａに示すようなメニュー画面を表示部１０６に表示させる。このとき、ユーザにより「個人情報登録」が選択されると、個人情報取得部１１５１は、図８Ｂに示すような登録方法選択画面を表示部１０６に表示させる。
【００５１】
次に、個人情報取得部１１５１は、個人情報の登録方法として「直接入力登録」、「ユーザ特定情報登録」、及び「撮像装置特定情報登録」の何れかが選択されたか否かを判断する（Ｓ５３２〜Ｓ５３４）。
【００５２】
「直接入力登録」が選択されたと判断した場合（Ｓ５３２がＹｅｓ）、個人情報取得部１１５１は、個人情報入力画面を表示部１０６に表示させてユーザに個人情報を入力させ（Ｓ５３５）、その入力された個人情報を記憶部１０３に記憶させる（Ｓ５３６）。例えば、まず、個人情報取得部１１５１は、図８Ｃに示すような画面を表示部１０６に表示させる。次に、ユーザにより「ユーザ１」〜「ユーザ４」のうちの「ユーザ１」が選択されると、個人情報取得部１１５１は、図８Ｄに示すような画面を表示部１０６に表示させる。次に、図８Ｄに示す画面において、ユーザにより「ユーザＩＤ」、「年齢」、「性別」、及び「居住地域」が入力された後、ユーザにより「ユーザＩＤ」の横の欄８０が選択されると、図８Ｅに示すような画面を表示部１０６に表示させる。次に、図８Ｅに示す画面において、ユーザにより「興味対象」が入力された後、決定ボタン８０が選択されると、個人情報取得部１１５１は、図８Ｆに示すような画面を表示部１０６に表示させる。次に、ユーザにより画面がスクロールされると、個人情報取得部１１５１は、図８Ｇに示すような画面を表示部１０６に表示させる。そして、図８Ｇに示す画面において、ユーザによりプルダウンメニューで「職業」が入力され、「同居家族数」が入力される。これにより、「ユーザ１」に対応する特定情報として「ユーザＩＤ」及び「ユーザ１」に対応する個人情報として「年齢」、「性別」、「居住地域」、「興味対象」、「職業」、「同居家族数」を記憶部１０３に記憶させることができる。
【００５３】
また、図７のフローチャートにおいて、「ユーザ特定情報登録」が選択されたと判断した場合（Ｓ５３２がＮｏ、Ｓ５３３がＹｅｓ）、個人情報取得部１１５１は、予め記憶部１０３などに記憶されるユーザＩＤ、生体情報取得部１１１により取得される生体情報、マイク１０９により取得されるユーザの声に基づく声紋情報、又は画像処理部１１２から出力されるユーザ顔認証用の画像データなどのユーザ特定情報を個人情報サーバ１１へ送信し（Ｓ５３７）、そのユーザ特定情報に対応する個人情報を個人情報サーバ１１から受信すると（Ｓ５３８がＹｅｓ）、その受信した個人情報を記憶部１０３に記憶させる（Ｓ５３６）。
【００５４】
また、図７のフローチャートにおいて、「撮像装置特定情報登録」が選択されたと判断した場合（Ｓ５３２がＮｏ、Ｓ５３３がＮｏ、Ｓ５３４がＹｅｓ）、個人情報取得部１１５１は、予め記憶部１０３などに記憶されている撮像装置特定情報（例えば、撮像装置１０の製造時に設定される機体ＩＤなど）を個人情報サーバ１１へ送信し（Ｓ５３９）、その撮像装置特定情報に対応する個人情報を個人情報サーバ１１から受信すると（Ｓ５４０がＹｅｓ）、その受信した個人情報を記憶部１０３に記憶させる（Ｓ５３６）。
【００５５】
これにより、ユーザが「ユーザ特定情報登録」又は「撮像装置特定情報登録」を選択した場合、ユーザの作業工数を抑えて個人情報を記憶部１０３に記憶させることができる。
【００５６】
また、図６のフローチャートにおいて、個人情報が記憶部１０３にすでに記憶されていると判断した場合（Ｓ５２がＹｅｓ）、制御部１１５の抽出項目情報設定部１１５２は、抽出項目情報が記憶部１０３にすでに記憶されているか否かを判断する（Ｓ５４）。
【００５７】
なお、Ｓ５３において個人情報を取得して記憶部１０３に記憶させた後もＳ５４に進むものとする。
【００５８】
抽出項目情報が記憶部１０３にまだ記憶されていないと判断した場合（Ｓ５４がＮｏ）、抽出項目情報設定部１１５２は、ユーザに抽出項目情報の入力又は設定を促し、入力又は設定される抽出項目情報を記憶部１０３に記憶させる（Ｓ５５）。
【００５９】
例えば、まず、抽出項目情報設定部１１５２は、図９Ａに示すようなメニュー画面を表示部１０６に表示させ、ユーザにより「抽出項目情報登録」が選択されると、図９Ｂに示すような画面を表示部１０６に表示させる。次に、ユーザにより「ユーザ１」〜「ユーザ４」のうち「ユーザ１」が選択されると、抽出項目情報設定部１１５２は、図９Ｃに示すような画面を表示部１０６に表示させる。図９Ｃに示す画面では、「撮影支援処理」を行うか否かを設定するための「動作」の項目において「撮影支援処理」を行うことを示す「通知ＯＮ」が設定され、抽出項目情報を設定するための「フィルタ」の項目において「年齢・性別」が設定され、ユーザへの通知方法を設定するための「通知方法」の項目においてスピーカ１０７からブザー音を出力させ、かつ、発光部１１３を発光させることを示す「ブザー・ＬＥＤ」が設定され、後述する地理的範囲を設定するための「地理的範囲」の項目において狭い地理的範囲を示す「狭い」が設定され、「判断モード」の項目において後述する閾値「１０」を示す「中間」が設定されている。次に、図９Ｃに示す画面においてユーザにより「フィルタ」の横の欄９０が選択されると、図９Ｄに示す画面のように、プルダウンメニューが表示される。そして、ユーザにより「カスタム」が選択されると、抽出項目情報設定部１１５２は、図９Ｅに示すような画面を表示部１０６に表示させる。ユーザは、「項目１」〜「項目４」それぞれにおいてプルダウンメニューにより抽出項目情報を設定することができる。すなわち、「カスタム」では、４つの抽出項目情報を設定することができる。
【００６０】
なお、図６のフローチャートにおいて、抽出項目情報を取得して記憶部１０３に記憶させた後（Ｓ５５）、Ｓ５６に進むものとする。
【００６１】
また、抽出項目情報が記憶部１０３にすでに記憶されていると判断した場合（Ｓ５４がＹｅｓ）、制御部１１５の画像付帯情報取得抽出部１１５３は、位置情報取得部１０２から位置情報を取得し（Ｓ５６）、その取得した位置情報を画像付帯情報サーバ１２へ送信する（Ｓ５７）。このとき、画像付帯情報サーバ１２は、受信した位置情報に基づいて、画像付帯情報データテーブル１５から画像付帯情報群を抽出して撮像装置１０へ送信する。例えば、画像付帯情報サーバ１２は、図１０Ａに示すように、受信した位置情報を中心とする予め決められた大きさの全地理的範囲１３１内に撮影位置が含まれる全ての画像付帯情報（黒点）を画像付帯情報群として撮像装置１０へ送信する。なお、画像付帯情報サーバ１２は、画像付帯情報群を撮像装置１０へ送信する際、画像付帯情報群を地理的ブロック毎に分割し、それら分割した各画像付帯情報群を順次撮像装置１０へ送信するように構成してもよい。また、画像付帯情報サーバ１２は、制御部１１５や制御部２１の処理能力及び通信速度などを考慮して画像付帯情報群を撮像装置１０へ送信してもよい。また、画像付帯情報サーバ１２は、画像付帯情報群の各画像付帯情報の撮影者ＩＤ（例えば、図２Ｂに示す撮影者ＩＤ領域１５６に格納される撮影者ＩＤ）にそれぞれ対応する個人情報を、個人情報サーバ１１の個人情報データテーブル１４から取得して、その取得した複数の個人情報を画像付帯情報群とともに撮像装置１０へ送信してもよい。
【００６２】
次に、画像付帯情報取得抽出部１１５３は、画像付帯情報群を画像付帯情報サーバ１２から受信すると（Ｓ５８がＹｅｓ）、記憶部１０３から個人情報及び抽出項目情報を取り出し（Ｓ５９）、それら個人情報及び抽出項目情報に基づいて、画像付帯情報サーバ１２から受信した画像付帯情報群から１以上の画像付帯情報を抽出する（Ｓ６０）。
【００６３】
例えば、記憶部１０３に個人情報として図２Ａに示すレコード１４６−３が記憶され、抽出項目情報として「興味対象」が記憶されている場合、まず、画像付帯情報取得抽出部１１５３は、レコード１４６−３から「興味対象」に対応する「ランドマークタワー」を取り出す。次に、画像付帯情報取得抽出部１１５３は、「ランドマークタワー」に関連する画像付帯情報として、図２Ｂに示す各レコード１６０のうち、タイトル領域１５２に格納されるタイトルに「タワー」という文字列が含まれているレコード１６０−１〜１６０−４を抽出する。
【００６４】
なお、画像付帯情報取得抽出部１１５３は、Ｓ５９、Ｓ６０を実行する代わりに、ユーザの操作部１０５の操作により入力される撮影条件情報又は日時情報に基づいて、画像付帯情報群から複数の画像付帯情報を抽出するように構成してもよい。例えば、画像付帯情報取得部１１５３は、撮影条件情報として「＊＊＊」がユーザにより入力された場合、図２Ｂに示す各レコード１６０のうち、「＊＊＊」に該当する撮影条件が撮影条件領域１５７に格納されているレコード１６０−１〜１６０−５を抽出する。また、例えば、画像付帯情報取得抽出部１１５３は、夜景を撮影したい場合であって日時情報として「１９：００〜２０：００」がユーザにより入力された場合、図２Ｂに示す各レコード１６０のうち、「１９：００〜２０：００」に該当する撮影日時が撮影日時領域１５４に格納されているレコード１６０−６〜１６０−８を抽出する。また、例えば、秋の紅葉を撮影したい場合は、「１０月〜１１月」を日時情報としてもよい。また、例えば、雪景色を撮影したい場合は、「１月〜２月」を日時情報としてもよい。
【００６５】
また、画像付帯情報取得抽出部１１５３は、Ｓ５９、Ｓ６０を実行する際、さらに、ユーザの操作部１０５の操作により入力される撮影条件情報及び日時情報の少なくとも１つに基づいて、画像付帯情報群から複数の画像付帯情報を抽出するように構成してもよい。例えば、画像付帯情報取得抽出部１１５３は、記憶部１０３に個人情報として図２Ａに示すレコード１４６−２が記憶され、抽出項目情報として「年齢」及び「性別」が記憶され、夜景を撮影したい場合であって日時情報として「１９：００〜２０：００」がユーザにより入力された場合、図２Ｂに示す各レコード１６０のうち、「１９：００〜２０：００」に該当する撮影日時が撮影日時領域１５４に格納され、「女」が性別領域１５８に格納され、「２０代」が年齢領域１５９に格納されているレコード１６０−８を抽出する。
【００６６】
また、画像付帯情報取得抽出部１１５３は、ユーザの操作部１０５の操作により入力される任意のキーワード（例えば、春のさくら、秋の紅葉、クリスマスイルミネーション、タワーのライトアップなど）と日時情報との組み合わせに基づいて、画像付帯情報群から複数の画像付帯情報を抽出するように構成してもよい。
【００６７】
また、画像付帯情報取得抽出部１１５３は、ユーザにより登録された撮像装置１０で使用される言語に基づいて、画像付帯情報群から複数の画像付帯情報を抽出するように構成してもよい。
【００６８】
次に、制御部１１５の撮影判断部１１５４は、位置情報取得部１０２から位置情報を取得し、その位置情報を中心とする予め決められた地理的範囲内にＳ６０で抽出した画像付帯情報がいくつ存在するかを算出し（Ｓ６１）、その算出した画像付帯情報の数が閾値よりも大きいか否かを判断する（Ｓ６２）。例えば、まず、撮影判断部１１５４は、ユーザにより「地理的範囲」として「狭い」が選択されるとともに、「判断モード」として「中間」が選択されると、図１０Ｃに示すデータテーブルから「狭い」に対応する「半径○ｋｍ２」を取り出し、図１０Ｂに示す位置情報Ａを中心とする半径○ｋｍ２の地理的範囲（１）を設定するとともに、図１０Ｄに示すデータテーブルから「中間」に対応する「１０」を取り出し、その「１０」を閾値に設定する。次に、位置情報取得部１０２は、地理的範囲（１）内に撮影位置が含まれる画像付帯情報の数として「０」を算出し（図１０Ｅ参照）、その「０」が閾値「１０」よりも大きくないと判断して「×」を設定する（図１０Ｆ参照）。また、同様にして、撮影判断部１１５４は、図１０Ｂに示す位置情報Ｂを中心とする半径○ｋｍ２の地理的範囲（２）内に撮影位置が含まれる画像付帯情報の数として「３」を算出し（図１０Ｅ参照）、その「３」が閾値「１０」よりも大きくないと判断して「×」を設定する（図１０Ｆ参照）。また、同様にして、撮影判断部１１５４は、図１０Ｂに示す位置情報Ｃを中心とする半径○ｋｍ２の地理的範囲（３）内に撮影位置が含まれる画像付帯情報の数として「６」を算出し（図１０Ｅ参照）、その「６」が閾値「１０」よりも大きくないと判断して「×」を設定する（図１０Ｆ参照）。また、同様にして、撮影判断部１１５４は、図１０Ｂに示す位置情報Ｄを中心とする半径○ｋｍ２の地理的範囲（４）内に撮影位置が含まれる画像付帯情報の数として「１１」を算出し（図１０Ｅ参照）、その「１１」が閾値「１０」よりも大きいと判断して「○」を設定する（図１０Ｆ参照）。なお、「地理的範囲」として「狭い」が設定され、「判断モード」として「判断されにくい」が設定される場合、上記地理的範囲（１）〜（４）全てにおいて、画像付帯情報の数が閾値よりも大きくないと判断される（図１０Ｆ参照）。また、「地理的範囲」として「狭い」が設定され、「判断モード」として「判断されやすい」が設定される場合、上記地理的範囲（１）、（２）において、画像付帯情報の数が閾値よりも大きくないと判断され、上記地理的範囲（３）、（４）において、画像付帯情報の数が閾値よりも大きいと判断される（図１０Ｆ参照）。
【００６９】
なお、「判断モード」の「判断されにくい」、「中間」、「判断されやすい」に対してそれぞれ全地理的範囲１３１内の全画像付帯情報数に対する閾値の割合を予め設定しておき、全画像付帯情報数に応じて閾値を切り替えるように構成してもよい。例えば、「判断されにくい」、「中間」、「判断されやすい」に対してそれぞれ全地理的範囲１３１内の全画像付帯情報数に対する閾値の割合を「３０％」、「２０％」、「１０％」と予め設定しておき、全地理的範囲１３１内の全画像付帯情報数が「５０」のとき、「判断されにくい」、「中間」、「判断されやすい」にそれぞれ対応する閾値を「１５」、「１０」、「５」とする。
【００７０】
また、位置情報が市街地にあるとき、「判断モード」を「判断されにくい」に切り替え、位置情報が市街地以外にあるとき、「判断モード」を「判断されやすい」に切り替えるように構成することにより、ユーザが市街地にいるときといないときにおいて、画像付帯情報群から抽出される画像付帯情報の数の均一化を図ることができる。
【００７１】
そして、画像付帯情報の数が閾値よりも大きいと判断した場合、すなわち、撮影判断部１１５４により撮影すべき被写体が近くに存在すると判断された場合（Ｓ６２がＹｅｓ）、制御部１１５の通知部１１５５は、その旨をユーザに通知するための指示を表示部１０６、スピーカ１０７、バイブレータ１１０、及び発光部１１３のうちの一部又は全部に送る（Ｓ６３）。例えば、通知部１１５５は、図１０Ｂに示す位置情報Ｄにおいて、撮影すべき被写体が近くに存在すると判断されると、位置情報Ｄと、予め記憶部１０３に記憶される位置情報Ｄ周辺の代表的な被写体１３２の位置情報との位置関係に基づいて、図１１Ａに示すように、代表的な被写体１３２の位置や方向を３次元で示す画面に、撮影すべき被写体が近くに存在する旨のメッセージ（「左前方に被写体があります」）を重ねて表示部１０６に表示させるとともに、撮影すべき被写体が近くに存在する旨の音声（「左前方に被写体があります」）をスピーカ１０７から出力させてもよい。また、通知部１１５５は、図１０Ｂに示す位置情報Ｄにおいて、撮影すべき被写体が近くに存在すると判断されると、予め記憶部１０３に記憶される位置情報Ｄ周辺の代表的な被写体１３２の位置情報と、地図情報取得部１１４により取得される位置情報Ｄ周辺の地図情報とに基づいて、図１１Ｂに示すように、代表的な被写体１３２の位置を示す２次元の地図を表示部１０６に表示させてもよい。また、通知部１１５５は、図１０Ｂに示す位置情報Ｄにおいて、撮影すべき被写体１３２が近くに存在すると判断されると、図１１Ｃに示すように、撮影すべき被写体が近くに存在する旨のメッセージ（「左前方に被写体があります」）を表示部１０６に表示させるとともに、ブザー音などをスピーカ１０７から出力させてもよい。これにより、代表的な被写体１３２をユーザが撮り損なうことを低減することができる。
【００７２】
なお、通知部１１５５は、このときに表示部１０６に表示させる文字列を、例えば、図２Ｂに示すレコード１６０のタイトル領域１５２やキーワード領域１５５に格納されている文字列を使用して作成してもよい。
【００７３】
そして、ユーザの操作部１０５の操作などにより「撮影支援処理」の終了指示が入力されると（Ｓ６４がＹｅｓ）、「撮影支援処理」を終了し、まだ「撮影支援処理」の終了指示が入力されていなければ（Ｓ６４がＮｏ）、Ｓ５６に戻る。
【００７４】
なお、画像付帯情報の数が閾値よりも小さいと判断した場合（Ｓ６２がＮｏ）、通知部１１５５は、ユーザに対して通知を行わず、「撮影支援処理」の終了指示が入力されたか否かを判断する。
【００７５】
また、「撮影支援処理」の終了指示が入力されていない場合（Ｓ６４がＮｏ）、所定時間経過後に、Ｓ５６に戻るように構成してもよい。
【００７６】
また、「撮影支援処理」の終了指示が入力されていない場合（Ｓ６４がＮｏ）、撮像装置１０が所定距離移動したとき、Ｓ５６に戻るように構成してもよい。
【００７７】
また、通知部１１５５は、撮影判断部１１５４により撮影すべき被写体が近くに存在することを判断されると、その旨を近距離用の機器間通信技術を使用して図５に示す他の撮像装置２２に送信して他の撮像装置２２の表示部１０６やスピーカ１０７などを使用してユーザに通知してもよい。
【００７８】
また、図２Ｂに示す画像付帯情報データテーブル１５において、各レコード１６０にそれぞれ画像データの撮影方向を格納する撮影方向領域を備え、撮影判断部１１５４により撮影すべき被写体が近くに存在することが判断されると、通知部１１５５が、地理的範囲内の画像付帯情報に格納される撮影方向及び位置情報取得部１０２により取得される位置情報に基づいて、ユーザに対して現在位置から被写体への方向を地図情報や音声を使用して通知するように構成してもよい。
【００７９】
また、撮像装置１０は、複数の代表的な被写体の位置情報を記憶部１０３に予め記憶しておき、撮像装置１０と画像付帯情報サーバ１２との間でデータの送受信ができない場合、通知部１１５５は、位置情報取得部１０２により取得される位置情報が、記憶部１０３に記憶される複数の代表的な被写体のうちの何れかの被写体に近づくと、撮影すべき被写体が近くに存在することをユーザに通知するように構成してもよい。これにより、撮像装置１０と画像付帯情報サーバ１２との間でデータの送受信ができないときも、代表的な被写体をユーザが撮り損なうことを低減することができる。
【００８０】
このように、第１実施形態の撮影支援システムでは、撮像装置１０の位置情報に基づく画像付帯情報群が画像付帯情報サーバ１２から撮像装置１０へ送信され、ユーザにより事前に登録される個人情報に基づいて画像付帯情報群から複数の画像付帯情報が抽出され、その抽出された複数の画像付帯情報のうち撮像装置１０の位置情報を中心とする地理的範囲内に撮影位置が入る画像付帯情報の数が閾値よりも大きい場合、撮影すべき被写体が近くに存在する旨がユーザに通知される。これにより、ユーザによる事前の準備作業を極力なくして、ユーザの嗜好に合った撮影支援を行うことができる。
【００８１】
また、第１実施形態の撮影支援システムによれば、ユーザの知らない撮影すべき被写体（その土地で有名な被写体など）をユーザに通知することができる。
【００８２】
また、第１実施形態の撮影支援システムによれば、画像付帯情報サーバ１２から撮像装置１０へ画像データ自体を送るのではなく、画像データの内容や撮影条件など画像データに付帯される画像付帯情報が画像付帯情報サーバ１２から撮像装置１０へ送られるため、通信負荷を抑えることができる。
【００８３】
図１２は、本発明の第２実施形態の撮影支援システムの一例を示す図である。なお、図５に示す第１実施形態の撮影支援システムの構成と同じ構成には同じ符号を付している。
【００８４】
図１２に示す第２実施形態の撮影支援システムにおいて、撮像装置１０の制御部１１５は、抽出項目情報設定部１１５２、撮影判断部１１５４（撮影判断手段）、及び通知部１１５５（通知手段）を備える。例えば、記憶部１０３に記憶される各種アプリケーションソフトの１つである「撮影支援処理」が制御部１１５により実行されると、抽出項目情報設定部１１５２、撮影判断部１１５４、及び通知部１１５５が構成されるものとする。
【００８５】
また、図１２に示す第２実施形態の撮影支援システムにおいて、画像付帯情報サーバ１２の制御部２１は、個人情報取得部１１５１（個人情報取得手段）、画像付帯情報取得抽出部１１５３（画像付帯情報取得抽出手段）、及び撮影有効範囲生成部１１５６（撮影有効範囲生成手段）を備える。例えば、記憶部２０に記憶される各種アプリケーションソフトの１つである「撮影支援処理」が制御部２１により実行されると、個人情報取得部１１５１、画像付帯情報取得抽出部１１５３、及び地理的範囲生成部１１５６が構成されるものとする。
【００８６】
図１３は、制御部２１の動作を説明するためのフローチャートである。
【００８７】
まず、制御部２１の個人情報取得部１１５１は、撮像装置１０から位置情報、抽出項目情報、ユーザ特定情報（又は撮像装置特定情報）、及び撮影条件情報若しくは日時情報を受信すると（Ｓ１４０がＹｅｓ）、ユーザ特定情報（又は撮像装置特定情報）を個人情報サーバ１１に送信して、そのユーザ特定情報（又は撮像装置特定情報）に対応する個人情報を個人情報サーバ１１から受信する（Ｓ１４１）。
【００８８】
次に、制御部２１の画像付帯情報取得抽出部１１５３は、位置情報に基づいて、画像付帯情報データテーブル１５から画像付帯情報群を抽出し、個人情報及び抽出項目情報、又は、撮影条件情報若しくは日時情報の少なくとも何れか一方に基づいて、抽出した画像付帯情報群から複数の画像付帯情報を抽出する（Ｓ１４２）。そして、制御部２１の撮影有効範囲生成部１１５６は、抽出した複数の画像付帯情報のそれぞれの撮影位置に基づいて、撮影有効範囲を生成する（Ｓ１４３）。例えば、撮影有効範囲生成部１１５６は、図１４に示すように、抽出した複数の画像付帯情報（黒点）のうち、撮影位置が集中している画像付帯情報の近くに存在する被写体１２０を３つ検出すると、それら３つの被写体１２０を中心とする３つの所定範囲をそれぞれ撮影有効範囲１２１とする。
【００８９】
そして、制御部２１は、生成した撮影有効範囲を撮像装置１０へ送信する（Ｓ１４４）。
【００９０】
図１５は、制御部１１５の動作を説明するためのフローチャートである。
【００９１】
まず、制御部１１５は、ユーザの操作部１０５の操作などにより「撮影支援処理」の開始指示が入力されると（Ｓ１３１がＹｅｓ）、抽出項目情報が記憶部１０３にすでに記憶されているか否かを判断する（Ｓ１３２）。
【００９２】
抽出項目情報が記憶部１０３にまだ記憶されていないと判断した場合（Ｓ１３２がＮｏ）、抽出項目情報設定部１１５２は、ユーザに抽出項目情報の入力又は設定を促し、入力又は設定される抽出項目情報を記憶部１０３に記憶させる（Ｓ１３３）。なお、Ｓ１３２及びＳ１３３は、図６に示すフローチャートのＳ５４及びＳ５５と同様である。
【００９３】
次に、制御部１１５は、位置情報取得部１０２からの位置情報、記憶部１０３からの抽出項目情報、ユーザ特定情報（予め記憶部１０３などに記憶されるユーザＩＤ、生体情報取得部１１１により取得される生体情報、マイク１０９により取得されるユーザの声に基づく声紋情報、又は画像処理部１１２から出力されるユーザ顔認証用の画像データなど）、及び操作部１０５からの撮影条件情報若しくは日時情報を取得し（Ｓ１３４）、それらを画像付帯情報サーバ１２へ送信する（Ｓ１３５）。なお、ユーザ特定情報の代わりに、撮像装置特定情報を記憶部１０３から取り出して画像付帯情報サーバ１２へ送信してもよい。
【００９４】
次に、制御部１１５は、画像付帯情報サーバ１２から送信される各情報に基づく撮影有効範囲を受信すると（Ｓ１３６がＹｅｓ）、位置情報取得部１０２から位置情報を取得し、その位置情報が撮影有効範囲から離れたか否かを判断する（Ｓ１３７）。
【００９５】
制御部１１５は、位置情報が撮影有効範囲から離れたと判断した場合（Ｓ１３７がＹｅｓ）、Ｓ１３４に戻り、位置情報が撮影有効範囲から離れていないと判断した場合（Ｓ１３７がＮｏ）、位置情報が撮影有効範囲に入ったか否かを判断する（Ｓ１３８）。
【００９６】
通知部１１５５は、位置情報が撮影有効範囲に入っていないと判断した場合（Ｓ１３８がＮｏ）、Ｓ１３７に戻り、位置情報が撮影有効範囲に入ったと判断した場合、すなわち、撮影判断部１１５４により撮影すべき被写体が近くに存在すると判断された場合（Ｓ１３８がＹｅｓ）、通知部１１５５は、その旨をユーザに通知するための指示を表示部１０６、スピーカ１０７、バイブレータ１１０、及び発光部１１３のうちの一部又は全部に送る（Ｓ１３９）。
【００９７】
そして、ユーザの操作部１０５の操作などにより「撮影支援処理」の終了指示が入力されると（Ｓ１４０がＹｅｓ）、「撮影支援処理」を終了し、まだ「撮影支援処理」の終了指示が入力されていなければ（Ｓ１４０がＮｏ）、Ｓ１３４に戻る。
【００９８】
なお、「撮影支援処理」の終了指示が入力されていない場合（Ｓ１４０がＮｏ）、撮像装置１０が所定距離移動したときに、Ｓ１３４に戻るように構成してもよい。これにより、画像付帯情報サーバ１２にかかる負荷を低減することができる。
【００９９】
このように構成される第２実施形態の撮影支援システムにおいても、第１実施形態の撮影支援システムと同様に、ユーザによる事前の準備作業を極力なくして、ユーザの嗜好に合った撮影支援を行うことができる。
【０１００】
また、第２実施形態の撮影支援システムでは、ユーザの嗜好に合った画像付帯情報を画像付帯情報群から抽出する処理を画像付帯情報サーバ１２で行う構成であるため、第１実施形態の撮影支援システムに比べて、撮像装置１０にかかる負担を低減することができ撮像装置１０の消費電力を抑えることができる。
【０１０１】
また、第２実施形態の撮影支援システムでは、画像付帯情報サーバ１２から撮像装置１０へ送信されるデータ量を抑えることができるため、第１実施形態の撮影支援システムに比べて、通信負荷を抑えることができる。
【０１０２】
図１６は、本発明の実施形態の撮影支援装置の一例を示す図である。なお、図５に示す第１実施形態の撮影支援システムの構成と同じ構成には同じ符号を付している。
【０１０３】
図１６に示す撮影支援装置１６０は、図５に示す撮像装置１０内の各機能の他に個人情報データテーブル１４及び画像付帯情報データテーブル１５を備えている。なお、撮影支援装置１６０における「撮影支援処理」は、図５に示す撮影支援システムにおける「撮影支援処理」と同様であるため、説明を省略する。図１６に示す撮影支援装置１６０では、撮像装置１０と個人情報サーバ１１との通信処理や撮像装置１０と画像付帯情報サーバ１２との通信処理などが省略される。
【０１０４】
このように構成される撮影支援装置１６０においても、第１実施形態の撮影支援システムと同様に、ユーザによる事前の準備作業を極力なくして、ユーザの嗜好に合った撮影支援を行うことができる。
【０１０５】
また、本実施形態の撮影支援システムや撮影支援装置１６０は、観光バス、列車、遊覧船、展望台などに設置され、撮像装置１０又は撮影支援装置１６０が有名な代表的な被写体に近づいたときに、その旨をスピーカ１０７や表示部１０６などを使用してユーザに通知する観光ガイドシステムとして適用することができる。
【符号の説明】
【０１０６】
１０  撮像装置
１１  個人情報サーバ
１２  画像付帯情報サーバ
１３  ネットワーク
１４  個人情報データテーブル
１５  画像付帯情報データテーブル
１１５１  個人情報取得部
１１５２  抽出項目情報設定部
１１５３  画像付帯情報取得抽出部
１１５４  撮影判断部
１１５５  通知部
１１５６  地理的範囲生成部
【図１】
2013012959.tif 000003
【図２Ａ】
2013012959.tif 000004
【図２Ｂ】
2013012959.tif 000005
【図３】
2013012959.tif 000006
【図４Ａ】
2013012959.tif 000007
【図４Ｂ】
2013012959.tif 000008
【図４Ｃ】
2013012959.tif 000009
【図４Ｄ】
2013012959.tif 000010
【図５】
2013012959.tif 000011
【図６】
2013012959.tif 000012
【図７】
2013012959.tif 000013
【図８Ａ】
2013012959.tif 000014
【図８Ｂ】
2013012959.tif 000015
【図８Ｃ】
2013012959.tif 000016
【図８Ｄ】
2013012959.tif 000017
【図８Ｅ】
2013012959.tif 000018
【図８Ｆ】
2013012959.tif 000019
【図９Ａ】
2013012959.tif 000020
【図９Ｂ】
2013012959.tif 000021
【図９Ｃ】
2013012959.tif 000022
【図９Ｄ】
2013012959.tif 000023
【図９Ｅ】
2013012959.tif 000024
【図１１Ａ】
2013012959.tif 000025
【図１１Ｃ】
2013012959.tif 000026
【図１２】
2013012959.tif 000027
【図１３】
2013012959.tif 000028
【図１４】
2013012959.tif 000029
【図１５】
2013012959.tif 000030
【図１６】
2013012959.tif 000031
【図８Ｇ】
2013012959.tif 000032
【図１０Ａ】
2013012959.tif 000033
【図１０Ｂ】
2013012959.tif 000034
【図１０Ｃ】
2013012959.tif 000035
【図１０Ｄ】
2013012959.tif 000036
【図１０Ｅ】
2013012959.tif 000037
【図１０Ｆ】
2013012959.tif 000038
【図１１Ｂ】
2013012959.tif 000039